(57)【要約】【課題】折板屋根用の取付け金具を利用してケーブルを極めて容易に配線でき、足場の悪い安全な配線作業が行える折板屋根用取付け金具のケーブル支持具を提供する。【解決手段】取付け金具の取付け用ボルトに連結する連結体１を設ける。連結体１から取付け金具の周囲側面まで延長される支持体２を設ける。取付け金具の側面に沿って支持体２にケーブルを支持する。連結体１は帯板状を成す。連結体１に取付け用ボルトを挿通せしめる長孔１Ａを開穿する。取付け金具と太陽電池モジュールとの間に連結体１を配置する。支持体２は連結体１から屈曲延長された帯板状を成す。ケーブルの側面を包持する包持部２Ａを支持体２に設ける。【選択図】  図１
2015154584.tif 000002
【特許請求の範囲】
【請求項１】
折板屋根に太陽電池モジュールを固定する際に、折板屋根上に設置され上方に突出する取付け用ボルトを備えた取付け金具にケーブルを支持せしめるケーブル支持具であって、取付け金具の取付け用ボルトに連結する連結体と、該連結体から取付け金具の周囲側面まで延長され、該側面に沿ってケーブルを支持する支持体とで構成したことを特徴とする折板屋根用取付け金具のケーブル支持具。
【請求項２】
前記連結体は帯板状を成し、前記取付け用ボルトを挿通せしめる長孔を備え、前記取付け金具と前記太陽電池モジュールとの間に前記連結体を配置するように構成した請求項１記載の折板屋根用取付け金具のケーブル支持具。
【請求項３】
前記支持体は、前記連結体から屈曲延長された帯板状を成し、前記ケーブルの側面を包持する包持部を備えた請求項１記載の折板屋根用取付け金具のケーブル支持具。
【請求項４】
前記取付け金具は、ハゼ式折板屋根の上部に設けられたハゼ部の側面を挟着する一対の挟着体と、該挟着体相互を連結し挟着体をハゼ部に固定する固定具と、挟着体の上面から上方に突出するように各挟着体に固定された取付け用ボルトとを備えた請求項１記載の折板屋根用取付け金具のケーブル支持具。
【請求項５】
前記取付け金具は、重ね式折板屋根の頂部に架設されるチャンネル材に前記取付け用ボルトを立設するように構成された請求項１記載の折板屋根用取付け金具のケーブル支持具。
【発明の詳細な説明】
【技術分野】
【０００１】
本発明は、折板屋根の上に太陽電池モジュールを設置する際に使用する折板屋根用取付け金具を利用してケーブルを配線することができる折板屋根用取付け金具のケーブル支持具に関するものである。
【背景技術】
【０００２】
工場や体育館、駅舎等の屋根構造として多く採用されている折板屋根に太陽電池モジュールを設置する場合、折板屋根に適応した取付け金具を使用する。すなわち、折板屋根には、ハゼ式、重ね式、嵌合式などの種類があるが、これらの折板屋根の上に太陽電池モジュールを取付ける場合、折板屋根の種類に適応した取付け金具が選択されている。
【０００３】
特許文献１には、当出願人が先に提案した折板屋根用取付け金具が記載されている。この取付け金具は、折板屋根のハゼ部を挟着する１対の挟着体と、これらの挟着体を相互に固定する固定具と、更に挟着体の上に太陽電池モジュールを連結する取付け用ボルトとを備えたものである。
【０００４】
また特許文献２には、他の折板屋根用の取付け金具が記載されている。この取付け金具においても、ハゼ部を挟着する１対の挟着体と、これらの挟着体を相互に固定する固定具と、更に挟着体の上に太陽電池モジュールを連結する取付け用ボルトとを備えたものである。
【０００５】
一方、特許文献３には、太陽電池モジュールにケーブルを設置するための金属クリップが記載されている。この金属クリップは、太陽電池モジュールの設置にＬ字の形鋼などのフレームが使用されている場合、このフレームのフランジに挟着して電源ケーブル等を配線するように構成されている。
【先行技術文献】
【特許文献】
【０００６】
【特許文献１】特許第４６９７６４１号公報
【特許文献２】特開２００７‐２９７８６０号公報
【特許文献３】特開２０１２‐１１０１９４号公報
【発明の概要】
【発明が解決しようとする課題】
【０００７】
従来の太陽電池モジュールに装着する金属クリップの使用は、Ｌ字形鋼等のフレームが使用されている場合に限られる。仮に、フレームが使用されていない場合でも、フレームに似た部位が太陽電池モジュール等にあるときは、その代替部位に取り付けることは可能になるが、取付け位置は代替部位により異なるので、ケーブルを自由な位置に配線することは困難になる。
【０００８】
しかも、金属クリップを使用する際は、フレーム等の部材を強固に挟着するので、金属クリップの取付け位置を傷付ける不都合もある。そのため、フレームの代わりに選択した代替部位が太陽電池モジュールにとって重要な部位である場合は、金属クリップの傷によって不具合が生じる虞もある。
【０００９】
一方、折板屋根に太陽電池モジュールを設置する場合、Ｌ字形鋼等のフレームの使用が困難なため、特許文献１や特許文献２に記載等の折板屋根用の取付け金具を利用して太陽電池モジュールを設置している。これらの取付け金具の多くは、取付け金具から上方に突出する取付け用ボルトに太陽電池モジュールを固定する構成を成している。そのため、特許文献３に記載のような金属クリップは使用できないので、配線作業には、結束バンドやバインド線等を使用する必要があった。
【００１０】
ところが、従来の配線作業は、折板屋根用の取付け金具に結束バンドやバインド線等を括り付けてからケーブルを配線する作業となるため、極めて多くの手間を要していた。しかも、足場の悪い折板屋根上で多数の結束バンド等を括り付けて配線する作業を行うので、従来の配線作業には多くの危険が伴っていた。
【００１１】
そこで本発明は上述の課題を解消すべく創出されたもので、特に、折板屋根に太陽電池モジュールを設置する際に、折板屋根用の取付け金具を利用してケーブルを極めて容易に配線することができ、足場の悪い折板屋根上でも安全な配線作業が行える折板屋根用取付け金具のケーブル支持具を提供することを目的とする。
【課題を解決するための手段】
【００１２】
上述の目的を達成すべく本発明における第１の手段は、折板屋根Ｐに太陽電池モジュールＲを固定する際に、折板屋根Ｐ上に設置され上方に突出する取付け用ボルト３０を備えた取付け金具ＱにケーブルＳを支持せしめるケーブル支持具であって、取付け金具Ｑの取付け用ボルト３０に連結する連結体１と、該連結体１から取付け金具Ｑの周囲側面まで延長され、該側面に沿ってケーブルＳを支持する支持体２とで構成したことにある。
【００１３】
第２の手段において、前記連結体１は帯板状を成し、前記取付け用ボルト３０を挿通せしめる長孔１Ａを備え、前記取付け金具Ｑと前記太陽電池モジュールＲとの間に前記連結体１を配置するように構成している。
【００１４】
第３の手段において、前記支持体２は、前記連結体１から屈曲延長された帯板状を成し、前記ケーブルＳの側面を包持する包持部２Ａを備えたものである。
【００１５】
第４の手段の前記取付け金具Ｑは、ハゼ式折板屋根Ｐの上部に設けられたハゼ部Ｐ１の側面を挟着する一対の挟着体１０と、該挟着体１０相互を連結し挟着体１０をハゼ部Ｐ１に固定する固定具２０と、挟着体１０の上面から上方に突出するように各挟着体１０に固定された取付け用ボルト３０とを備えたものである。
【００１６】
第５の手段の前記取付け金具Ｑは、重ね式折板屋根Ｐの頂部に架設されるチャンネル材Ｔに前記取付け用ボルト３０を立設するように構成されたものである。
【発明の効果】
【００１７】
本発明の請求項１によると、取付け金具Ｑの取付け用ボルト３０に連結する連結体１と、該連結体１から取付け金具Ｑの周囲側面まで延長され、該側面に沿ってケーブルＳを支持する支持体２とで構成したことで、これまで、折板屋根上に太陽電池モジュールを設置する際に、ケーブルを極めて容易に配線することができ、足場の悪い折板屋根上でも安全に作業することが可能になった。
【００１８】
しかも、取付け金具Ｑの周囲側面まで延長される支持体２により、取付け金具Ｑに取付ける支持体２の向きが自由になる。したがって、取付け金具Ｑの４方向のいずれの側面であっても、この側面に沿って支持体２を配置することができ、ケーブルＳの通線方向を限定することなく、太陽電池モジュールＲの面に合わせた配線が可能になる。
【００１９】
請求項２のように、連結体１は帯板状を成し、取付け用ボルト３０を挿通せしめる長孔１Ａを備え、取付け金具Ｑと太陽電池モジュールＲとの間に連結体１を配置するように構成したことで、取付け金具Ｑを利用した合理的なケーブル配線を行える。すなわち、取付け金具Ｑを設置した後、太陽電池モジュールＲを固定する前に取付け用ボルト３０に連結体１を係止するだけの作業で本発明支持金具を設置することができる。この結果、高所でも極めて安全な作業が行えるものである。
【００２０】
更に、連結体１の長孔１Ａに取付け用ボルト３０を通しているので、連結体１が外れるおそれがない。しかも、従来の金属クリップのように取付け位置を傷付けることなく装着することができる。また、長孔１Ａにより、連結体１や支持体２の装着位置を任意に調整することができるので、他の金具と組み合わせることが可能である。
【００２１】
請求項３のごとく、支持体２は、連結体１から屈曲延長された帯板状を成し、ケーブルＳの側面を包持する包持部２Ａを備えているので、ケーブルＳを支持体２に係止する作業も容易に行える。この結果、太陽電池モジュールＲを固定した後でも、太陽電池モジュールＲに沿ったケーブルＳを容易に支持することができる。
【００２２】
請求項４、５の如く、折板屋根Ｐの種類が異なっても折板屋根Ｐに適応する取付け金具Ｑの取付け用ボルト３０に本発明ケーブル支持具を装着することができるので、折板屋根Ｐの設置状況に対応した配線が可能になるものである。
【図面の簡単な説明】
【００２３】
【図１】本発明の一実施例を示す斜視図である。
【図２】本発明の装着例を示す分解斜視図である。
【図３】本発明の装着例を示す分解斜視図である。
【図４】本発明の装着例を示す分解斜視図である。
【図５】本発明の他の装着例を示す斜視図である。
【図６】本発明の他の装着例を示す斜視図である。
【図７】本発明の他の装着例を示す分解斜視図である。
【発明を実施するための形態】
【００２４】
本発明によると、折板屋根に太陽電池モジュールを設置する際に、折板屋根用の取付け金具を利用してケーブルを極めて容易に配線することができ、足場の悪い折板屋根上でも安全な作業になるなどといった当初の目的を達成した。
【００２５】
以下、本発明の実施例を説明する。本発明ケーブル支持具は、折板屋根Ｐ上に設置された取付け金具Ｑを利用してケーブルＳを配線するものである。この取付け金具Ｑは、波形状を成す折板屋根Ｐの波の頂部に取付けられるもので、この取付け金具Ｑから上方に突出する取付け用ボルト３０を介して太陽電池モジュールＲを固定するように構成されたものである。本発明ケーブル支持具では、特に、この取付け用ボルト３０から上方に突出する取付け用ボルト３０を利用する構成を採用している。
【００２６】
本発明の基本構成は、取付け金具Ｑの取付け用ボルト３０に連結する連結体１と、該連結体１から取付け金具Ｑの側面まで延長され、該側面に沿ってケーブルＳを支持する支持体２とで構成したものである（図１参照）。
【００２７】
連結体１は帯板状を成しており、板面に取付け用ボルト３０を挿通せしめる長孔１Ａを開穿している（図１参照）。この長孔１Ａに取付け用ボルト３０を挿通して連結体１を装着した後、取付け金具Ｑの上部に太陽電池モジュールＲを配置する（図３参照）。その結果、本発明ケーブル支持具は、取付け金具Ｑと太陽電池モジュールＲとの間に配置されることになる。また、図示の長孔１Ａに代えてフック形状の連結体１を形成するなど、連結体１の形状を変更することも可能である。
【００２８】
図示の連結体１には略垂直に屈曲された屈曲部１Ｂが形成されている（図１参照）。この屈曲部１Ｂを取付け金具Ｑの側面に当接させた場合は、連結体１の位置を定位置に留めることができる。このとき、連結体１の長孔１Ａによって、取付け金具Ｑの取付け用ボルト３０から側面までの距離は任意に調整できるので、取付け金具Ｑの周囲側面のいずれの面にも屈曲部１Ｂを当接させることが可能になる。また、屈曲部１Ｂを取付け金具Ｑの側面に当接させない使用も可能である。
【００２９】
支持体２は、連結体１から屈曲延長された帯板状を成している（図１参照）。この支持体２に、ケーブルＳの側面を包持する包持部２Ａを屈曲形成している。図示の包持部２Ａは、側面略Ｕ字形状を成し、開口した上部から包持部２Ａ内にケーブルＳを挿入して支持するものである。この包持部２Ａの開口部には、折返片２Ｂを設けて包持部２Ａの開口を容易にしている。
【００３０】
更に、支持体２には、取付け金具Ｑの側面から離れた位置でケーブルＳを支持するように、屈曲部１Ｂから略水平に延長された延長部２Ｃを形成している。この延長部２Ｃにより、取付け金具Ｑの側面から包持部２Ａが離れるので、包持部２ＡにケーブルＳを係止する作業が容易になる。
【００３１】
連結体１及び支持体２は、耐候性に優れたステンレス鋼の使用が好適であるが、これらの材質は任意に選択することができる。また、図示の支持体２は、例えば２本のケーブルＳを支持する形状を成している（図４参照）。この支持体２の形状は図示例に限られるものではなく、多くのケーブルＳを支持できるように任意に変更することが可能である。
【００３２】
本発明ケーブル支持具を装着する取付け金具Ｑは、特に、折板屋根用の取付け金具Ｑを使用するものである。折板屋根には、ハゼ式、重ね式、嵌合式などの種類があるが、これらの折板屋根Ｐに使用する取付け金具Ｑであって、取付け金具Ｑから上方に突出する取付け用ボルト３０を備えたものであれば、どの種類の折板屋根Ｐに適応する取付け金具Ｑであっても本発明ケーブル支持具を装着することができる。
【００３３】
たとえば、図２乃至図３に示す取付け金具Ｑは、ハゼ式折板屋根Ｐに適応した取付け金具Ｑである。この取付け金具Ｑは、ハゼ部Ｐ１の側面を挟着する一対の挟着体１０と、該挟着体１０相互を連結し挟着体１０をハゼ部Ｐ１に固定する固定具２０と、挟着体１０の上面から上方に突出するように各挟着体１０に固定された取付け用ボルト３０とを備えている（図２参照）。
【００３４】
図示例では、この取付け金具Ｑの上面に更に太陽電池モジュールＲの端部を載置する載置具Ｑ１と、この載置具Ｑ１に載置した太陽電池モジュールＲの端部上面に係止して太陽電池モジュールＲを固定する固定板Ｑ２とを備えた例を示している（図３参照）。そして、本発明ケーブル支持具を取付け用ボルト３０に装着した後（図２参照）、載置具Ｑ１と固定板Ｑ２との間に太陽電池モジュールＲを設置する（図３参照）。そして、これらの取付け金具Ｑに太陽電池モジュールＲを固定した後に、支持体２の包持部２ＡにケーブルＳを係止する（図４参照）。
【００３５】
また、図５に示す取付け金具Ｑは、ハゼ部Ｐ１に固定した取付け金具Ｑと、該取付け金具Ｑの取付け用ボルト３０に固定したチャンネル材Ｔに連結した別の取付け用ボルト３０を介して載置具Ｑ１と固定板Ｑ２とを設置した例を示している。この使用例では、チャンネル材Ｔから上方に突出する取付け用ボルト３０に本発明ケーブル支持具を装着するものである。
【００３６】
更に、図６に示す取付け金具Ｑは、ハゼ部Ｐ１に固定した取付け金具Ｑと、該取付け金具Ｑの取付け用ボルト３０に固定したチャンネル材Ｔに連結した別の取付け用ボルト３０を介して太陽電池モジュールＲを載置固定するブラケット形架台Ｕを設置した例を示している。この使用例でも、チャンネル材Ｔから上方に突出する取付け用ボルト３０に本発明ケーブル支持具を装着することができる。
【００３７】
図７に示す取付け金具Ｑは、重ね式折板屋根Ｐに適応した取付け金具Ｑを示している。この取付け金具Ｑは、載置具Ｑ１とチャンネル材Ｔとで構成したものである。すなわち、折板屋根Ｐの頂部に固定したチャンネル材Ｔに、図５で示す載置具Ｑ１を装着したものである。そして、載置具Ｑ１から上方に突出する取付け用ボルト３０に本発明ケーブル支持具を装着して載置具Ｑ１の側面に配置している。
【００３８】
このように、本発明ケーブル支持具の装着は、折板屋根Ｐに取付ける取付け金具Ｑであれば折板屋根Ｐの種類や取付け金具Ｑの形状は問わない。本発明ケーブル支持具は、上方を向いた取付け用ボルト３０を備えた取付け金具Ｑであれば簡単に装着することができるものである。
【００３９】
尚、本発明の構成は図示例に限定されるものではなく、本発明の要旨を変更しない範囲での設計変更は任意である。
【符号の説明】
【００４０】
Ｐ  折板屋根
Ｐ１  ハゼ部
Ｑ  取付け金具
Ｑ１  載置具
Ｑ２  固定板
Ｒ  太陽電池モジュール
Ｓ  ケーブル
Ｔ  チャンネル材
Ｕ  ブラケット形架台
１  連結体
１Ａ  長孔
１Ｂ  屈曲部
２  支持体
２Ａ  包持部
２Ｂ  折返片
２Ｃ  延長部
１０  挟着体
２０  固定具
３０  取付け用ボルト
【図１】
2015154584.tif 000003
【図２】
2015154584.tif 000004
【図３】
2015154584.tif 000005
【図４】
2015154584.tif 000006
【図５】
2015154584.tif 000007
【図６】
2015154584.tif 000008
【図７】
2015154584.tif 000009
【手続補正書】
【提出日】平成27年6月4日(2015.6.4)
【手続補正１】
【補正対象書類名】特許請求の範囲
【補正対象項目名】請求項１
【補正方法】変更
【補正の内容】
【請求項１】
折板屋根に太陽電池モジュールを固定する際に、折板屋根上に設置され上方に突出する取付け用ボルトを備えた取付け金具にケーブルを支持せしめるケーブル支持具であって、取付け金具の取付け用ボルトに連結する連結体と、該連結体から取付け金具の周囲側面まで延長され、該周囲側面に沿ってケーブルを支持する支持体とで構成したことを特徴とする折板屋根用取付け金具のケーブル支持具。
【手続補正２】
【補正対象書類名】明細書
【補正対象項目名】００１２
【補正方法】変更
【補正の内容】
【００１２】
上述の目的を達成すべく本発明における第１の手段は、折板屋根Ｐに太陽電池モジュールＲを固定する際に、折板屋根Ｐ上に設置され上方に突出する取付け用ボルト３０を備えた取付け金具ＱにケーブルＳを支持せしめるケーブル支持具であって、取付け金具Ｑの取付け用ボルト３０に連結する連結体１と、該連結体１から取付け金具Ｑの周囲側面まで延長され、該周囲側面に沿ってケーブルＳを支持する支持体２とで構成したことにある。